(57)【要約】【課題】  融雪装置を設置する際に莫大な費用を投じる事無く、安価にて雪により家屋が倒壊するのを防ぎ、且つ徹底した省エネタイプのものを提供する。【解決手段】  瓦屋根の上に設けられた固定具１の固定部に挿入された滑り板と、前記固定具１と軒先の間に設けた2つの綱と、積雪の重さにより下り得る計り板と、前記固定具1の端部に設けられた風除け板と前記2つの綱の間にあって、前記計り板の下部に設けた加熱手段と、前記2つの網の間にあって軒先側に設けた雪せき止め板と、玄関等（室内）に設置されたコントローラーとからなる屋根の融雪装置である、本発明の融雪装置は波板2を使用する事により、屋根上部より軒先側に滑下させた雪を屋根中間部より、軒先側に吊り下げられた加熱手段4により融雪する装置であって、味気のない波板にプリント、又はプリントされたフィルムを貼る事により、レトロ感覚なものにしたものである。【選択図】図2
2008280734.tif 000002
【特許請求の範囲】
【請求項１】
瓦屋根の上に設けられた固定具の固定部に挿入された滑り板と、前記固定具1と軒先の間に設けた2つの綱と、積雪の重さにより下り得る計り板と、前記固定具の端部に設けられた風除け板と、前記2つの網の間にあって
前記計り板の下部に設けた加熱手段と、前記2つの網の間にあって軒先側に設けた雪せき止め板と、玄関等（室内）に設置されたコントローラーとからなる屋根の融雪装置であって
前記2つの網は、一つは各瓦の山部間に跨って張られた第１の綱と他の1つは各瓦間の谷部に沿うように設けられた第2の網とからなり、前記固定具は固定部と、風除け板と、綱結合部と、第1の網目を貫通し第2の網の素線に当接固定される脚部と、スイッチ内臓部と、これら全てを連結する連結部とからなり、前記2つの綱上に載置、固定されている。前記計り板は積雪の重さにより1端が下がるとき引き糸により前記加熱手段に供給し得る電源・コントローラー・スイッチ内臓部に内臓されたスイッチに通電されるよう接続連結されていることを特徴とする屋根の融雪装置。
【請求項２】
前記滑り板は、波板であることを特徴とする請求項1記載の屋根の融雪装置。
【発明の詳細な説明】
【技術分野】
【０００１】
本発明は屋根の融雪装置に関する。
【背景技術】
【０００２】
全面ヒーターでは高額であり、又、地下水を利用する方法もあるが、こちらもボーリング、及びポンプと高価であり地下水不足も心配される。
【０００３】
例えば、特許文献には、切妻屋根上に積もった雪が、軒先側から落下するのを有効に防止し融雪の効率化を図ると共に、雪支持板に加熱手段を設け、融雪する技術が開示されている。
【０００４】
【特許文献１】特開平６−１０１３１１
【発明の開示】
【発明が解決しようとする課題】
【０００５】
しかしながら、上述した技術では切妻屋根だけであって、瓦屋根には適さない。
【０００６】
又、他にも波板の下に加熱手段を組み込んだ技術が開示されている
【０００７】
【特許文献２】特開平８−１７０４１３
【０００８】
しかしながら、上述した技術では波板が加温される迄に、無駄なエネルギーが必要となる。又、見栄えも悪い。
【課題を解決するための手段】
【０００９】
本発明は、上記従来の問題を鑑みてなされたもので、瓦屋根の上に設けられた固定具の固定部に挿入された滑り板と、前記固定具と軒先の間に設けた２つの網と、積雪の重さにより下り得る計り板と、前記固定具の端部に設けられた風除け板と、前記の２つの網の間にあって前記計り板の下部に設けた加熱手段と、前記２つの網の間にあって軒先側に設けた雪せき止め板と、室内に設けられたコントローラーからなる融雪装置である。
【００１０】
又、前記滑り板が、プリント又は、プリントされたフィルムを貼った波板である事が好ましい、滑り板は鉄板でも良いが、雨音がうるさく、又滑り板が波板だとプリント又はプリントされたフィルムの貼り方で、右から見るとかやぶきで左から見ると花畑というような楽しいものもできる、以後このプリント、又はプリントされたフィルムを貼った波板を波板２とする。
【００１１】
前記滑り板の上部は数ｃｍ〜１０ｃｍ位は空気抜き用に開けられている。融雪装置としてはそれで充分である。従って、本発明の融雪装置としては、冠瓦上には設置しない、何故なら、冠瓦上に積雪しても風で吹き飛ばされてしまう、下の波板に積雪し冠瓦の高さ迄溜まって初めて冠瓦上にも積雪していくもの、従って下に波板２が敷かれているので冠瓦にはほとんど溜まらない、万が一積雪したとしてもそれにより家屋が倒壊することはない。
【００１２】
無駄なエネルギーは使わず、安全且つ、おしゃれ感覚な融雪装置を、そして不必要な所には波板2にて落雪することを併用する事もできる。
【発明の効果】
【００１３】
本発明によれば積雪全てを融雪せず、本来の目的である家屋倒壊を防ぐ事を目指したものである。従って、加熱手段を最小にしたことにより極めて省エネタイプとなった、又、普通の波板では見栄えが良くなかったが波板2を使用する事により見栄えも良く、（例えば、かやぶき屋根をプリントした波板を使用する事により）レトロ感覚なもの、他に花畑・山・林・小川等々に動物・人形を組み合わせる事により可愛いもの・夢のあるもの・おしゃれなものになった。そして、前記融雪装置と前記滑り板により落雪（雪下ろし）を併用する事もできる。
【発明を実施するための最良の形態】
【００１４】
本発明の融雪装置は、瓦屋根の上に設けられた固定具1の固定部1 aに挿入された滑り板と、前記固定具1と軒先の間に設けた２つの網と、積雪の重さにより下り得る計り板７１と、前記固定具1の端部に設けられた風除け板1 bと、前記２つの網の間にあって前記計り板の下部に設けた加熱手段4と、前記２つの網の間にあって軒先側に設けた雪せき止め板と、玄関等（室内）に設置されたコントローラーとからなる屋根の融雪装置である。前記２つの網は1つは各瓦の山部間に跨って張られた第１の網と、他の1つは各瓦間の谷部に沿うように設けられた第2の網とからなり、前記固定具は、固定部１aと、風除け板1 bと、綱結合部１cと、第1の綱目を貫通し、第2の綱の素線に当接固定される脚部1 dと、スイッチ内臓部１fと、これら全てを連結する連結部１eとからなり、前記2つの綱上に載置固定されている。前記計り板は積雪の重さにより一端が下がるとき引糸７gにより前記加熱手段に供給し得る電源・コントローラー・スイッチ内臓部１fに内臓されたスイッチ７、に接続連結されていることを特徴とする。又、滑り板による雪下ろしと融雪装置とを併用する事もできる。
【００１５】
1ａ固定部（波板２挿入口は波板のＪＩＳ規格、谷の深さ１５ｍｍ厚み１．５ｍｍで１８ｍｍになっている）1ｂ風除け板、1ｃ網結合部、1ｄ脚部、1ｅ連結部、1ｆスイッチ内蔵部、これら全てを以下、固定具1とする。
【００１６】
以下では添付図面を参照して、本発明の屋根の融雪装置を詳細に説明する。
【実施例】
【００１７】
図1は本発明の融雪装置及び雪下ろし型の実施例の全体図である。1階の屋根は部分的な融雪装置の設置例であり、２階の屋根は請求項1記載の全面融雪装置の設置例である。このようにユーザーの所望により、必要・不必要の使い分けができ、雪下ろし（落雪）と融雪装置とを併用できる。
【００１８】
図2は本発明の融雪装置の1部（約、瓦1枚分）を拡大した斜視図である。第1の網により載置された固定具1が、第2の網により固定され前部1ａには波板2が固定されており、第2の網上には加熱手段4が、更に加熱手段上には計り板７１が載置されている。前記波板2から滑下してきた雪が計り板７１上を通過し、軒先側に設けた雪せき止め板5によりせき止められた雪が徐々に堆積していき、加熱手段４上に屋根とほぼ平行に堆積する。やがて計り板７１上にも堆積した時、計り板７１が下がり計り板に連結された引糸７Ｇが５ｍｍ程度引かれる事により、スイッチ・オンとなる。
【００１９】
加熱手段４上の雪が融け始め、加熱手段４上の雪が融けるか、又は滑下する時、計り板７１上の雪も融けるか滑下する事により、計り板７１が加熱手段４よりはずれスイッチ・オフとなる。又図２及び図３に示されているように７Ｇ引糸と第１の網は、２ｍｍずらしてある。但し、計り板７１は雨にも反応する可能性が高いので、温度センサーと併用又はコントローラー9のスイッチ・オフ又は、コンセントを抜いておき、積雪を確認後にコンセントをはめ、コントローラー9のスイッチ・オンするのが良く、屋根の場合これで充分である。なお計り板７１は７３により第２の網に固定されている。
【００２０】
第１の網の目は、４ｃｍ×４ｃｍを使用瓦の山部を真直ぐに張られ固定具１を載置し、雪の滑り過ぎを防ぐ、第２の網は２ｃｍ×２ｃｍを使用し瓦の谷部を沿うように張られ加熱手段４を載置、及び丸くなり瓦面に接しないよう、又接しても加熱手段４内のニクロム線が折れないよう守る役目も果たしている。又、その加熱手段４の下にも雪を落とし加熱手段４により効率良く融雪する。
【００２１】
図３は固定具１の後部であり、１Ｇにより加熱手段４上を雪が滑下するとき加熱手段４の中央部に雪が集まり過ぎないようになっている。
【００２２】
図4は固定具１の前部であり、瓦のサイズが大小有る為に第１の網が少しずつずれていくため固定具１を載置式にし、且つ、脚部４ａ・下部４ｂを５ｍｍ間隔にし、第２の網に固定し易くした。
【００２３】
図５は第2の綱に載置され、融雪する為の加熱手段4であり、アルミ板６ａにはめ込まれたニクロム線6ｂとからなる、又6ｃにより第2の綱に固定されている。そして接続具図１１には加熱手段４から延長されたプラグ６dにより接続され、接続具図１１から延長されたプラグ６eによりコントローラー９に接続されている。この事により、もし瓦１列分が融雪されない時、加熱手段４の故障が判りメンテナンス(交換)がし易い。尚、接続具図１１にはプラグ嵌入口６fが設けられており軒下に取り付けられている。又、スイッチ７のプラグ７fは接続具図１１を中継しコントローラー９まで延長接続されており、他のプラグとは色違いになっている。尚コントローラー９は容量により変えられるようになっている。
【００２４】
図６は、図2にも示されるように、波板２により、滑下してきた雪が、計り板７１（角度がつけられており水抜き用の直径５ｍｍの穴が開けられている。）上を通過し、軒先側に設けられた雪せき止め板によりせき止められた雪が、やがて計り板７１上にも推積した時下り、計り板７１に連結されている引糸７Ｇにより、７ｄが７ｅに開けられた穴を通り７ｄが引張られて７ｃのバネが縮む事により、７ｂの接点が接触する事により、前記加熱手段４に電源が供給され融雪する。又７hのキャップにより雨水が入らないようになっている。
【００２５】
図７は、省エネグッズで、裏に差し込むタイプと、裏に差し込んで折り曲げるタイプがあり、これを前記波板２に付ける事により雪が全て滑下するのを防ぎ、少しでも太陽熱で融ける。つまり多少なり共、省エネグッズとなる。他に、犬・鹿等動物もあり、足４本の裏に同じく差し込み棒を付る事により、波板同士をつなぐ時に使用する。
【００２６】
このグッズにより、夢のある物、色々な物語、民話、童謡等、楽しいものとなる。
【００２７】
しかしながら、上述した省エネグッズ、又前記のスイッチ７、及び波板２も普通の波板でも良く、融雪装置としては必要不可欠なものではなく、ユーザーの所望により付けると良い。
【００２８】
図８は、見ての通りの固定貝であり後に述べる。
【００２９】
図9は、雪せき止め板で、図４の風除け板と似ており、風除け板同様瓦のサイズが大小ある為に、第１の綱と第２の綱が少しづつずれていくので、図９も風除け板と同様５b、５ｃを５ｍｍの間隔にした、５ａには、空気抜き用の穴が開けられており、上部５ｄ、５ｅには、第１の綱４ｃｍ×４ｃｍがはめ込み易くなっている。又、５ｄより５ｅは、低くなっている事により、中央部が高くなるようになっている。
【００３０】
図１０は、切妻屋根、トタン屋根等スリップ式の屋根においても落雪により危険な箇所の屋根に部分的に本発明の融雪装置を設置する際に使用する。第1の綱と第２の綱の間に上部はタテに、下部はヨコにはめ込み固定するものであり、空気抜用の１０ａ穴が開けられている。又、上部には、１０ｂに第１の綱、１０ｃには第２の綱が固定できるようになっている。
【００３１】
この場合、波板は使用しない。しかしながら波板を使用することにより、トタン屋根、瓦屋根の日除けの役目を果たし夏涼しくなり、全国的に設置されたなら、かなりの省エネになるものと想われる。従ってトタン屋根にも波板の設置をお勧めする。
【００３２】
図１の全体図の上部、鬼瓦Eには３つ程のくぼみがあるのでその１番下のくぼみに針金にビニールパイプ、１０ｃｍ程度に切った物を４つ入れた物を巻き付け、鬼瓦Eにキズがつかないように、前記ビニールパイプが当接するように設置し固定しておく。
【００３３】
固定具１の固定部にはめ込まれた波板２と固定具１とを共に図８の口で前記針金に固定されている。
【００３４】
屋根の両端の波板２(目打ち又はキリで穴が開けられ)及び２つの綱は、図８のニでそで瓦の端部の下部に固定されており、軒瓦側の２つの綱は図８のイで雨樋いの固定具に固定されている。
【００３５】
更に、波板２及び綱は屋根中間部を横切るように図８のホで屋根両端のそで瓦D端部の下部に固定されており、波板２には、目打ち又はキリで穴が開けられ図７のイのような省エネグッズが付けられ楽しいものとなっている。
【００３６】
１階の屋根に１ケ、２階の屋根に１ケのスイッチ7が内蔵された固定具１が付けられ、スイッチ・オフを確かなものとしている。
【００３７】
波板２には例えば、山並がプリントされ、山並みに沿った省エネグッズ図7が付けられており、雪が滑下した後、図７の上にだけ残雪し、山が雪山へと変わる。
【００３８】
この事は、決して見栄えだけでなく残雪した雪が太陽熱により融ける事により、多少なり共省エネ効果が有る。
【００３９】
図４の風除け板により、波板２が浮いたり、横風により飛ばされないようになっている。
【００４０】
コントローラーとしては、とくに限定されないが、ケース内にＰＣ基盤等の制卸部品が収納されているもので、この制卸部品により加熱手段に通電が制卸できるものを用いる事ができる、このコントローラーの制卸により加熱手段のオン、オフあるいは加熱手段の上面の温度調節を行う。更にもう一つコントローラーにスイッチ７が使用、不使用のスイッチを付ける事により、スイッチ、オフが確かなものとなる。つまりコントローラーのスイッチ切り忘れをしても、スイッチ７によりスイッチ・オフとなり、いつまでも加熱手段が加温され、不経済となる事を防ぐ事ができる。尚、前記更にもう一つスイッチは入・切と切替えられるようになっており、入の時はスイッチ７に通電されない限り加熱手段４にも通電されず、切の時はスイッチ７に通電されなくても加熱手段４には通電されるようになっている。この事により、もしスイッチ７が故障した場合でも融雪装置を作動させる事ができ、メンテナンス(交換)がし易い、しかしながら、この事はスイッチ７が故障した時のみ使用し、コントローラー９のスイッチ切り忘れをしないよう注意する事が肝要である。なるべく早くスイッチ７のメンテナンスをする事がスイッチ切り忘れを防ぐ。
【００４１】
軒瓦から上、１枚目又は２枚目の瓦にはブリッジ状の滑り止めが付けられているので、そこは、第２の綱のタテ１列を切り図8のハで固定されている。
【００４２】
計り板には、オモリ７４が付けられており融雪開始時を調節する。
【００４３】
最後に１階屋根の部分的な融雪装置及び波板による（落雪式）雪下ろしの併用方法について詳細に説明する。
【００４４】
図1では判りにくいが、実際にはかんむり瓦Ｂの部分が約１０数ｃｍ程高くなっている。つまり波板２・固定具１・第１の網の位置とかんむり瓦Ｂの上部との差が１０数ｃｍ程ある。（瓦により差がある）
【００４５】
前記では、玄関上の屋根のみの場合を申し述べたが、例えば植木・窓等により融雪したい所、スリップ式で良い所と、又（豪雪の年に、屋根迄、屋根より雪下ろしした雪が溜り）屋根から屋根へ歩けた所を１／３にしたい所等あるので、その設置例を述べる。
【００４６】
植木・窓等の上の屋根は、玄関と同様であるが、１／３にしたい所は、６列融雪装置を設置し、次の２列は軒瓦迄波板２を設置する、融雪部分は、前記２階と同様、雪下ろし（スリップ式）したい所は、波板２を軒先迄、軒先側には固定具１で固定し、その上に第３の綱（８ｃｍ×８ｃｍ）を被せ、かんむり瓦Ｂの上を跨ぎ横の屋根の軒瓦迄被せ、図８のイで止める。
【００４７】
次に、第３の綱と波板２、固定具１、第1の綱の瓦の山部の部分の間に、図７の省エネグッズ（犬・人形で足の裏に、差し込み棒又は、裏で折り曲げるタイプ綱用は、足の裏に十文字の切り目を付けてある物で、犬の背又は人形が踊っているような形で手をあげている物等で、高さが前記差＋２ｃｍの物）を所々はめ込んで固定する、後は２階の屋根と同様に固定する。
【００４８】
その際、雪国の家屋は頑丈とはいえ、こちら側と向う側の屋根にかかる重量のバランスを考えて設置する。
【００４９】
前記、全体図では、２階屋根の融雪装置、１階屋根では雪下ろしと併用する部分的融雪装置について述べたが、例えば１階屋根の無い家屋の場合で、本発明の雪下ろしと融雪装置を併用すると、前記０００２記載の全面ヒーターの融雪装置の２０％〜３０％の安価にて設置できる。
【産業上の利用可能性】
【００５０】
本発明は、瓦屋根は勿論切妻屋根・トタン屋根等・スリップ式屋根にも摘応できる、又、神社等、半瓦使用の屋根の場合は固定具１及び加熱手段４を半瓦に合うように細くする。
【００５１】
前記計り板とスイッチと内蔵可能な固定具１とを底が傾斜している箱に入れれば、道路用融雪装置（登実３１２４８５７号）にも使用可能とする事ができる。
【図面の簡単な説明】
【００５２】
【図１】本発明の屋根の雪下ろしと融雪装置の併用する方法の使用状態を説明するための全体図の斜視図である。
【図２】本発明の屋根の融雪装置の１部（約瓦１枚分）の拡大図である。
【図３】本発明の固定具１の後部である。
【図４】本発明の固定具１の前部である。
【図５】本発明の加熱手段の説明図である。
【図６】本発明のスイッチ及び計り板の詳細図である。
【図７】本発明の省エネグッズの詳細図である。
【図８】本発明の固定するための種類の図である。
【図９】本発明の雪せき止め板の斜視図である。
【図１０】本発明のスリップ式屋根に使用する綱を固定するための、上部は、タテに下部は、ヨコに使用する固定具である。
【図１１】本発明の固定具１及び加熱手段４から延長されたプラグによりコントローラー９に接続するのに中継する為の接続具の説明図である。
【符号の説明】
【００５３】
A     浅瓦
B     かんむり瓦
C     軒瓦
D     袖瓦
E     鬼瓦
１    固定具
１a   固定部
１b   風除け板
１c   綱結合部
１d   脚部
１e   連結部
１f   スイッチ内蔵部
２    滑り板
３    ２つの綱
４    加熱手段
５    雪せき止め板
７    スイッチ
７a   支点
７b   接点
７c   バネ
７d   基盤１
７e   基盤２
７f   プラグ
７g   引糸
７h   キャップ
７１  計り板
７２  水抜用穴
７３  計り板止め
７４  オモリ
【図１】
2008280734.tif 000003
【図２】
2008280734.tif 000004
【図３】
2008280734.tif 000005
【図４】
2008280734.tif 000006
【図５】
2008280734.tif 000007
【図６】
2008280734.tif 000008
【図７】
2008280734.tif 000009
【図８】
2008280734.tif 000010
【図９】
2008280734.tif 000011
【図１０】
2008280734.tif 000012
【図１１】
2008280734.tif 000013
【手続補正書】
【提出日】平成19年5月28日(2007.5.28)
【手続補正１】
【補正対象書類名】明細書
【補正対象項目名】００２３
【補正方法】変更
【補正の内容】
【００２３】
図５は第2の綱に載置され、融雪する為の加熱手段4であり、アルミ板６ａにはめ込まれたニクロム線6ｂとからなる、又6ｃにより第2の綱に固定されている。そして接続具図１１には加熱手段４から延長されたプラグ６dにより接続され、接続具図１１から延長されたプラグ６eによりコントローラー９に接続されている。この事により、もし瓦１列分が融雪されない時、加熱手段４の故障が判りメンテナンス(交換)がし易い。尚、接続具図１１にはプラグ嵌入口６fが設けられており軒下に取り付けられており、接続具同士をプラグで接続できるようになっている。又、スイッチ７のプラグ７fはコントローラー９まで延長接続されており、他のプラグとは色違いになっている。尚コントローラー９は容量により変えられるようになっている。
【手続補正２】
【補正対象書類名】明細書
【補正対象項目名】００５２
【補正方法】変更
【補正の内容】
【００５２】
【図１】本発明の屋根の雪下ろしと融雪装置の併用する方法の使用状態を説明するための全体図の斜視図である。
【図２】本発明の屋根の融雪装置の１部（約瓦１枚分）の拡大図である。
【図３】本発明の固定具１の後部である。
【図４】本発明の固定具１の前部である。
【図５】本発明の加熱手段の説明図である。
【図６】本発明のスイッチ及び計り板の詳細図である。
【図７】本発明の省エネグッズの詳細図である。
【図８】本発明の固定するための種類の図である。
【図９】本発明の雪せき止め板の斜視図である。
【図１０】本発明のスリップ式屋根に使用する綱を固定するための、上部は、タテに下部は、ヨコに使用する固定具である。
【図１１】本発明の加熱手段４から延長されたプラグによりコントローラー９に接続するのに中継する為の接続具の説明図である。